(57)【特許請求の範囲】
【請求項１】
手元操作部に設けた手元操作手段と、電動送風機及び前記手元操作手段による設定内容に応じてこの電動送風機を制御する制御装置を有する掃除機本体とを備え、
前記手元操作手段と前記制御装置とが、前記手元操作部と前記掃除機本体との間に介在するホースに設けられた信号線で接続され、
前記制御装置は、この信号線を介して前記手元操作手段に電源を供給すると共に、この手元操作手段へ所定周期毎に読取パルスを出力する電源供給手段と、前記読取パルスによって前記手元操作手段に流れる電流を読み取る読取手段とを備えた電気掃除機であって、
前記制御装置は、前記読取手段で読み取った電流の電流値に対応した設定内容を報知させるための且つ前記読取パルスと同極性の報知電圧を、前記読取パルスと読取パルスとの間の期間に出力する報知電圧出力手段を有し、
前記手元操作手段は、前記読取パルスによって所定の電流値の電流が流れると共に、この電流値を設定操作に応じて切り換える電流切換手段と、前記読取パルスと同極性の前記報知電圧によって前記電流切換手段の設定状態を報知する報知手段とを有し、
前記電源供給手段は、前記読取手段が一の読取パルスによって前記手元操作手段に流れる電流を読み取った際に、この一の読取パルスに続けて前記所定周期よりも短い周期の第２の読取パルスを少なくとも一回出力することを特徴とする電気掃除機。
【請求項２】
前記手元操作手段の設定状態を読み取った際の読取パルスから、前記所定周期よりも短い周期で出力される最後の第２の読取パルスまでを１つのパルスにしたことを特徴とする請求項１に記載の電気掃除機。
【請求項３】
前記報知手段は、電流切換手段に並列に接続されていることを特徴とする請求項１または請求項２に記載の電機掃除機。
【請求項４】
前記報知手段は、表示装置であることを特徴とする請求項１ないし請求項３のいずれか１つ記載の電機掃除機。
【請求項５】
前記報知手段は、発音装置であることを特徴とする請求項１ないし請求項３のいずれか１つ記載の電機掃除機。
【発明の詳細な説明】
【０００１】
【発明の属する技術分野】
この発明は、ホースの手元操作部に複数の操作スイッチを設けた電気掃除機に関する。
【０００２】
【従来の技術】
従来から、手元操作部に操作スイッチと表示器とを設け、掃除機本体に電動送風機を制御する制御装置を設けた電気掃除機が知られている。
【０００３】
かかる電気掃除機は、操作スイッチおよび表示器と制御装置とがホースに設けた２本の信号ラインで接続され、制御装置によって操作スイッチの操作を読み取るとともにこの読み取った操作内容を表示器に表示させるようになっている。
【０００４】
操作スイッチは一方向にのみ電流が流れるようになっているとともに操作に応じて抵抗値が変わるように設定されており、表示器はその電流と逆極性の印加電圧に応じて表示内容が変わるように設定されている。
【０００５】
操作スイッチの操作の読み取りは、制御装置がゼロクロスパルス電流を信号ラインを介して操作スイッチに流し、この操作スイッチに流れる電流値を検知することによって行っている。これは、操作スイッチがいつ操作されても、また、操作スイッチがオンする時間が短時間であっても、その操作スイッチの操作内容を確実に読み取るために、１０ｍ秒毎にゼロクロスパルス電流を出力し、そのパルス電流によって３回連続して同じ操作内容を読み取ったとき、その読み取った操作内容を確定する。
【０００６】
そして、制御装置は、読み取った操作内容に対応してゼロクロスパルス電流と逆極性の電圧を、ゼロクロスパルス電流が流れていない期間のとき信号ラインに出力させて表示器に操作内容を表示させるものである。
【０００７】
この電気掃除機によれば、ゼロクロスパルス電流を信号ラインを介して操作スイッチに流し、このパルス電流と逆極性の電圧をパルス電流が流れていない期間のとき信号ラインに出力させているので、ホースに２本の信号ラインを設けるだけでよく、しかも手元操作部にＣＰＵ等を設ける必要がない等の多くの利点を有している。
【０００８】
【発明が解決しようとする課題】
しかしながら、このような電気掃除機にあっては、操作スイッチの操作を読み取るために１０ｍ秒毎にゼロクロスパルス電流を流しているので、パルス的なノイズが頻繁に発生することになる。さらに、表示器に操作内容を表示させるためにパルス電流と逆極性の電圧を信号ラインに出力しているので、信号ラインに流れる電流の方向が頻繁に切り換わることになり、表示器の表示中はパルス的なノイズの発生が著しいものとなる。しかも、ホースが長いので、それらノイズによる他の機器に与える影響が大きくなってしまう問題があった。
【０００９】
この発明は、上記問題点に鑑みてなされもので、その目的は、ノイズの発生を少なくすることのできる電気掃除機を提供することある。
【００１０】
【課題を解決するための手段】
上記目的を達成するため、請求項１の発明は、手元操作部に設けた手元操作手段と、電動送風機及び前記手元操作手段による設定内容に応じてこの電動送風機を制御する制御装置を有する掃除機本体とを備え、
前記手元操作手段と前記制御装置とが、前記手元操作部と前記掃除機本体との間に介在するホースに設けられた信号線で接続され、
前記制御装置は、この信号線を介して前記手元操作手段に電源を供給すると共に、この手元操作手段へ所定周期毎に読取パルスを出力する電源供給手段と、前記読取パルスによって前記手元操作手段に流れる電流を読み取る読取手段とを備えた電気掃除機であって、
前記制御装置は、前記読取手段で読み取った電流の電流値に対応した設定内容を報知させるための且つ前記読取パルスと同極性の報知電圧を、前記読取パルスと読取パルスとの間の期間に出力する報知電圧出力手段を有し、
前記手元操作手段は、前記読取パルスによって所定の電流値の電流が流れると共に、この電流値を設定操作に応じて切り換える電流切換手段と、前記読取パルスと同極性の前記報知電圧によって前記電流切換手段の設定状態を報知する報知手段とを有し、
前記電源供給手段は、前記読取手段が一の読取パルスによって前記手元操作手段に流れる電流を読み取った際に、この一の読取パルスに続けて前記所定周期よりも短い周期の第２の読取パルスを少なくとも一回出力することを特徴とする。
【００２１】
【実施の形態】
以下、この発明に係る報知装置を設けた電気掃除機の実施形態を図面に基づいて説明する。
［第１実施形態］
図１において、１０は電気掃除機本体で、この本体１０内には集塵室（図示せず）とこの集塵室を負圧にする電動送風機（駆動手段）１１とが設けられている。また、掃除機本体１０には電動送風機１１を制御する制御装置３０（図２参照）が設けられている。
【００２２】
１５は一端が電気掃除機本体１０に着脱可能に接続されているホースで、このホース１５の他端には手元操作管１６が設けられている。ホース１５には２本の信号線Ｌ1,Ｌ2（図２参照）が設けられている。
【００２３】
手元操作管１６には把手部１６Ａと手元操作部１６Ｂとが設けられており、手元操作部１６Ｂには、電動送風機１１の電源を切る切スイッチＳ1と、電動送風機１１のパワーを自動設定する自動設定スイッチＳ2と、電動送風機１１のパワーの強弱を設定する手動設定スイッチＳ3と、自動設定スイッチＳ2により自動設定が設定されているとき発光する発光素子である表示器ＬＥＤ1（報知手段,表示手段）とが設けられている。手動設定スイッチＳ3は押す毎に「強」と「弱」を交互に設定していくものである。
【００２４】
手元操作管１６には延長管１７が着脱可能に接続され、延長管１７の先端部には吸込口体２０が着脱可能に接続されている。
【００２５】
図２は電気掃除機の制御系の構成を示したブロック図である。図２において、３０はトライアック３１の位相制御を行って電動送風機１１の入力を制御する制御装置である。この制御装置３０はＣＰＵ等から構成されている。
【００２６】
この制御装置３０は、１００ms周期（所定周期）毎にパルス幅が１msの読取タイミングパルスＰ1を出力ポートＵ1から出力するとともに、この読取タイミングパルスＰ1によって入力ポートＵ2に流れる電流を読み取り、この読み取った電流からどのスイッチＳ1〜Ｓ3が操作されたかを判断する。
【００２７】
また、制御装置３０は、スイッチＳ1〜Ｓ3が操作されたとき、読取タイミングパルスＰ1の後に続けて１０ms毎にパルス幅が１msの読取タイミングパルスＰ2,Ｐ3（図４参照）を出力する。また、制御装置３０は、スイッチＳ2が操作されたと判断したとき、読取タイミングパルスＰ3の後に続けて表示電圧（報知電圧）Ｖ（読取タイミングパルスＰ1と同じ電圧）を出力し続けるようになっている。そして、制御装置３０は後述する手元操作手段４５に電源を供給する電源供給手段３０Ｅと手元操作手段に流れる電流を読み取る読取手段３０Ｒと報知電圧を出力する報知電圧出力手段３０Ｈとを内蔵している。
【００２８】
図２において、Ｅは商用交流電源、４０は手元操作部１６Ｂに設けたスイッチ回路（電流切換手段）であり、このスイッチ回路４０に表示器ＬＥＤ1と抵抗Ｒ4の直列回路が並列接続されている。そして、スイッチ回路４０と表示器ＬＥＤ1および抵抗Ｒ4とで手元操作手段４５が構成されている。
【００２９】
スイッチ回路４０は、スイッチＳ1〜Ｓ3とこのスイッチＳ1〜Ｓ3に直列接続された抵抗Ｒ1〜Ｒ3とを有し、これら直列接続されたスイッチＳ1〜Ｓ3および抵抗Ｒ1〜Ｒ3（Ｒ1＜Ｒ2＜Ｒ3＜Ｒ4）がそれぞれ並列接続されている。ホース１５が掃除機本体１０に接続されると、図３に示すように、読取タイミングパルスＰ1により電流Ｉ1（＞閾値Ｉa）が抵抗Ｒ4および表示器ＬＥＤ1に流れる。この際、表示器ＬＥＤ1は１ms間点灯されるが、僅かな時間のため人目には認識することができず、表示器ＬＥＤ1は消灯しているとして認識される。
【００３０】
また、スイッチＳ1がオンされると読取タイミングパルスＰ1により電流Ｉ2（閾値Ｉb＞Ｉ1）がスイッチ回路４０に流れ、スイッチＳ2がオンされると読取タイミングパルスＰ1により電流Ｉ3（閾値Ｉc＞Ｉ2）がスイッチ回路４０に流れ、スイッチＳ3がオンされると読取タイミングパルスＰ1により電流Ｉ4（閾値Ｉd＞Ｉ3）がスイッチ回路４０に流れるようになっている。
【００３１】
次に、上記実施形態の電気掃除機の動作について説明する。
【００３２】
図示しない電源コードのプラグをコンセントに差し込むと、図４に示すように制御装置３０の出力ポートＵ1から周期Ｔ1（１００ms）毎に読取タイミングパルスＰ1が出力されていく。ホース１５を掃除機本体１０に接続すると、その読取タイミングパルスＰ1により信号線Ｌ1を介して操作部１６Ｂの抵抗Ｒ4および表示器ＬＥＤ1に電流Ｉ1が流れる。すなわち、入力ポートＵ2に電流Ｉ1が流れてくる。制御装置３０は入力ポートＵ2に流れる電流Ｉ1を読み取っていき、この電流Ｉ1からホース１５が接続されたことを認識する。
【００３３】
スイッチＳ2をオンすると（時点ｔ1）、抵抗Ｒ2が信号線Ｌ1,Ｌ2に接続されるので、図３に示すように、制御装置３０の入力ポートＵ2には読取タイミングパルスＰ1の出力により電流Ｉ3が流れる。制御装置３０は、この電流Ｉ3を読み取り、スイッチＳ2がオンされたと判断し、この読取タイミングパルスＰ1の後に、周期１０ms毎に読取タイミングパルスＰ2,Ｐ3を出力する。この読取タイミングパルスＰ2,Ｐ3によって、制御装置３０の入力ポートＵ2に電流Ｉ3が流れると、制御装置３０は、スイッチＳ2がオンされたことを確定して、電動送風機１１のパワーを自動設定して駆動させる（時点ｔ2）。
【００３４】
また、制御装置３０は、読取タイミングパルスＰ3（時点ｔ2）の後に出力ポートＵ1から表示電圧Ｖを出力し続け、この表示電圧Ｖがスイッチ回路４０に印加するとともに抵抗Ｒ4と表示器ＬＥＳ1の直列回路に印加して表示器ＬＥＤ1は点灯し続ける。このＬＥＤ1の点灯により、電動送風機１１のパワーが自動設定されていることが報知される。
【００３５】
さらに、制御装置３０は、出力ポートＵ1から表示電圧Ｖを出力し続けている間も、１００ms毎に入力ポートＵ2に流れる電流を読み取っていく。
【００３６】
スイッチＳ1がオンされると、図５に示すように、上記と同様にして、制御装置３０は、読取タイミングパルスＰ1（時点ｔ5）の後に周期１０ms毎に読取タイミングパルスＰ2,Ｐ3を出力し、入力ポートＵ2に流れる電流Ｉ1を読み取ってスイッチＳ1がオンされたことを確定して、電動送風機１１を停止させるともに出力ポートＵ1から表示電圧Ｖの出力を停止する（時点ｔ6）。この後、制御装置３０は読取タイミングパルスＰ1を出力ポートＵ1から１００ms毎に出力する。
【００３７】
スイッチＳ3がオンされた場合、上記と同様にして制御装置３０は、読取タイミングパルスＰ1の後に周期１０ms毎に読取タイミングパルスＰ2,Ｐ3を出力し、入力ポートＵ2に流れる電流Ｉ3を読み取ってスイッチＳ3がオンされたことを確定して、電動送風機１１のパワーを「強」または「弱」に設定して駆動する。そして、この場合、読取タイミングパルスＰ3の後に出力ポートＵ1から表示電圧Ｖは出力されない。したがって、表示器ＬＥＤ1は点灯されない。
【００３８】
この実施形態によれば、スイッチＳ1〜Ｓ3の操作内容を読み取るための読取タイミングパルスＰ1を１００ｍ秒毎に出力させているので、１０ｍ秒毎に出力させるものと比較しての読取タイミングパルスＰ1の出力回数が大幅に減ることになり、パルス的なノイズの発生が非常に少ないものとなる。また、読み取りの確定を行うために、読取タイミングパルスＰ2,Ｐ3を１０ｍ秒毎に２つ出力させているだけなので、読み取りの確定を行う際のパルス的なノイズの発生も少なく、しかも、３つの読取タイミングパルスＰ1,Ｐ2,Ｐ3によって読み取りを確定するためその読み取りの信頼性が向上する。
【００３９】
また、スイッチ回路４０の操作の読み取りと、ＬＥＤ1の点灯とを力ポートＵ1の出力電圧の極性を変えずに行っているので、さらにノイズの発生は少ないものとなり、その極性を変えていないことにより、制御装置３０や操作部１６Ｂの回路構成が至って簡単なものとなる。
［第２実施形態］
図６は第２実施形態のタイムチャートを示す。この第２実施形態では、１００msの周期毎にパルス幅が１０msの読取タイミングパルスＰ5を出力ポートＵ1から出力させ、スイッチＳ1〜Ｓ3の操作を読み取ったときには（時点ｔ8）、パルス幅が３０msの読取タイミングパルスＰ6を出力させるようにしたものである。制御装置３０は、読取タイミングパルスＰ6を出力している間、入力ポートＵ2に流れる電流を１０ms毎に読み取っていく。すなわち、読取タイミングパルスＰ6が出力している間、入力ポートＵ2に流れる電流を３回読み取ることになる。
【００４０】
そして、読み取りが確定した場合、例えばスイッチＳ2がオンされたことを確定した場合、制御装置３０は、読取タイミングパルスＰ6の後に出力ポートＵ1から表示電圧Ｖを出力していく（時点ｔ9）。スイッチＳ3をオンした場合には、第１実施形態と同様に表示電圧Ｖを出力しない。
【００４１】
図７はスイッチＳ1を操作したときのタイムチャートを示したものである。図７において、時点ｔ10でスイッチＳ1がオンされて時点ｔ11で入力ポートＵ2に流れる電流の読み取りが行われ、スイッチＳ1が操作されたと判断すると、制御装置３０は、表示電圧Ｖの出力を停止するとともに、出力ポートＵ1から読取タイミングパルスＰ6を出力して（時点ｔ11）、入力ポートＵ2に流れる電流を１０ms毎に読み取っていく。この読み取りにより、制御装置３０は、スイッチＳ1が操作されたことを確定すると出力ポートＵ1から表示電圧Ｖを出力しない。そして、表示器ｌＥＤ1は消灯する（時点ｔ12）。
【００４２】
この第２実施形態によれば、１つの読取タイミングパルスＰ6で３回の読み取りを行うので、パルス的なノイズの発生はさらに少ないものとなる。
［第３実施形態］
図８および図９は３つの読取タイミングパルスＰ7〜Ｐ9を１００ms毎に出力するようにしたものであり、読取タイミングパルスＰ8,Ｐ9は１０ms間隔で出力される。各パルスＰ7〜Ｐ9の幅は１msである。この第３実施形態では、１００ms毎に入力ポートＵ2に流れる電流を３回づつ読み取っていくものであり、その他の動作は第１実施形態と同様なのでその説明は省略する。
【００４３】
この第３実施形態によれば、３つの読取タイミングパルスＰ7〜Ｐ9を１００ms毎に出力するものであるから、スイッチＳ1〜Ｓ3の操作を読み取ったときに２つの読取タイミングパルスＰ2,Ｐ3を出力するものに比べて読取タイミングパルスＰ7〜Ｐ9の出力制御がし易いものとなる。
【００４４】
図１０および図１１は、３つの読取タイミングパルスＰ7〜Ｐ9の代わりにパルス幅が３０msの１つの読取タイミングパルスＰ10を１００ms毎に出力するようにしたものである。この場合も、読取タイミングパルスＰ10が出力されている間に入力ポートＵ2に流れる電流を１０ms毎に計３回読み取っていくものである。
【００４５】
この図１０および図１１に示すものは、１つの読取タイミングパルスＰ10を出力するだけであるから、図６に示すものより読取タイミングパルスＰ10の出力制御がし易く、ノイズの発生もさらに少ないものとなる。
［第４実施形態］
図１２は第４実施形態の電機掃除機の制御系の構成を示す。この第４実施形態では、スイッチ回路４０に並列にブザー（報知手段）４１と抵抗Ｒ5とを並列接続したものである。そして、スイッチ回路４０とブザー４１および抵抗Ｒ5とで手元操作手段４６が構成されている。
【００４６】
図１２に示す制御装置３０は、第１実施形態と同様に１００msの周期毎にパルス幅が１msの読取タイミングパルスＰ1を出力ポートＵ1から出力し、この読取タイミングパルスＰ1によって入力ポートＵ2に流れる電流を読み取ってどのスイッチＳ1〜Ｓ3が操作されたかを判断する。スイッチＳ1〜Ｓ3が操作されたと判断した場合には、読取タイミングパルスＰ1の後に、周期１０ms毎に読取タイミングパルスＰ2,Ｐ3を出力し、この読取タイミングパルスＰ2,Ｐ3によって、スイッチＳ1〜Ｓ3が操作されたことを確定すると、制御装置３０は、読取タイミングパルスＰ3の出力後に２ＫＨZのブザー信号（報知電圧）Ｇを出力ポートＵ1から１０〜１００ms間だけ出力する。制御装置３０はブザー信号Ｇを出力する報知電圧出力手段３０Ｍを有している。
【００４７】
第４実施形態では、図３に示すように、スイッチＳ1〜Ｓ3がオンされていないとき読取タイミングパルスＰ1によって入力ポートＵ2に電流Ｉ1が流れ、スイッチＳ1〜Ｓ3がオンされたとき読取タイミングパルスＰ1により入力ポートＵ2に電流Ｉ2,Ｉ3,Ｉ4が流れるようになっている。
【００４８】
この第４実施形態によれば、図１３に示すように、スイッチＳ1〜Ｓ3が操作されたことが確定すると、制御装置３０は読取タイミングパルスＰ3の出力後（時点ｔ15〜ｔ18）にブザー信号Ｇを出力ポートＵ1から出力するので、ブザー４１はブザー信号Ｇにより音を発生してスイッチＳ1〜Ｓ3が操作されたことを報知する。また、制御装置３０はスイッチＳ1〜Ｓ3の操作に対応して電動送風機１１を制御する。
【００４９】
この第４実施形態も、第１実施形態と同様にパルス的なノイズの発生が非常に少ないものとなり、また、読み取りの確定を行うために、読取タイミングパルスＰ2,Ｐ3を１０ｍ秒毎に２つ出力させているだけなので、読み取りの確定を行う際のパルス的なノイズの発生も少なく、しかも、３つの読取タイミングパルスＰ1,Ｐ2,Ｐ3によって読み取りを確定していることによりその読み取りの信頼性も向上する。
［第５実施形態］
図１４および図１５は第５実施形態を示したものである。図１４および図１５において、ＬＥＤ1は第１実施形態と同様に自動設定スイッチＳ2により自動設定が設定されているとき発光する表示器であり、ＬＥＤ2は手動設定スイッチＳ3により強弱が設定されているとき発光する表示器（報知手段,発光素子）である。
【００５０】
５０は掃除機本体１０に設けた制御装置であり、この制御装置５０は、第１実施形態と同様に、１００ms周期毎に電圧Ｖaの読取タイミングパルスＰ1や読取タイミングパルスＰ2,Ｐ3を出力ポートＵ1から出力する他に、読取タイミングパルスＰ3の後に表示電圧Ｖb,Ｖcを出力ポートＵ1から出力する。すなわち、制御装置５０は、スイッチＳ2が操作されたと確定したとき表示電圧Ｖb（＞Ｖa）を出力し、スイッチＳ3が操作されたと確定したとき、表示電圧Ｖc（＞Ｖb）を出力する。そして、制御装置５０は、出力ポートＵ1から出力される表示電圧Ｖa〜Ｖcを切り換える電圧切換手段５０Ｋを有している。５０Ｅは電源供給手段、５０Ｒは読取手段である。
【００５１】
６０は手元操作部１６Ｂに設けた表示回路である。この表示回路６０は、２つの発光ダイオードＬＥＤ1,ＬＥＤ2と、オンすることにより発光ダイオードＬＥＤ1を点灯させるトランジスタＴＲ2と、オンすることにより発光ダイオードＬＥＤ3を点灯させるトランジスタＴＲ4と、信号線Ｌ1に読取タイミングパルスＰ1の電圧Ｖaが印加するとオンするＴＲ1と、表示電圧Ｖbが信号線Ｌ1に印加するとオンしてＴＲ2をオンさせるツェナーダイオード（定電圧手段）ＺＤ1と、表示電圧Ｖcが信号線Ｌ1に印加するとオンしてＴＲ4をオンさせるツェナーダイオード（定電圧手段）ＺＤ2とを備えている。ＴＲ4がオンするとＴＲ3がオンしてＬＥＤ2が点灯するものである。そして、スイッチ回路４０と表示回路６０とで手元操作手段６２が構成される。
【００５２】
次に、第５実施形態の電気掃除機の動作について説明する。
【００５３】
図示しない電源コードのプラグをコンセントに差し込むと、図１６に示すように制御装置５０の出力ポートＵ1から１００ms毎に読取タイミングパルスＰ1が出力されていく。この読取タイミングパルスＰ1が信号線Ｌ1を介して操作部１６Ｂの表示回路６０に印加し、ＴＲ1がオンして制御装置５０の出力ポートＵ1からＴＲ1およびスイッチ回路４０の抵抗Ｒ4を介して入力ポートＵ2に電流が流れていく。制御装置５０は入力ポートＵ2に流れる電流を読み取っていく。
【００５４】
いずれの操作スイッチＳ1〜Ｓ3も操作されていないときには、入力ポートＵ2に電流Ｉ1（図３参照）が流れ、この電流Ｉ1から制御装置５０はホース１５が掃除機本体１０に接続され且ついずれの操作スイッチＳ1〜Ｓ3も操作されていないと判断する。
【００５５】
図１６に示すように、スイッチＳ3をオンすると（時点ｔ20）、抵抗Ｒ2が抵抗Ｒ4に並列接続されるので、制御装置５０の入力ポートＵ2には読取タイミングパルスＰ1の出力により電流Ｉ4（図３参照）が流れる。制御装置５０は、この電流Ｉ4を読み取り、スイッチＳ3がオンされたと判断し、この読取タイミングパルスＰ1の後に、周期１０ms毎に読取タイミングパルスＰ2,Ｐ3を出力する。この読取タイミングパルスＰ2,Ｐ3によって制御装置５０の入力ポートＵ2に電流Ｉ4が流れると、制御装置５０は、スイッチＳ3がオンされたことを確定して電動送風機１１のパワーを「強」または「弱」に設定して駆動させる。
【００５６】
また、制御装置５０は、読取タイミングパルスＰ3（時点ｔ21）の後に出力ポートＵ1から表示電圧Ｖcを出力し続け、この表示電圧Ｖcにより表示回路６０のツェナーダイオードＺＤ2がオンしてＴＲ4,ＴＲ3がオンし、このＴＲ3のオンにより表示器ＬＥＤ2は点灯する。このＬＥＤ2の点灯により、電動送風機１１のパワーが手動設定されていることが報知される。この表示電圧Ｖcにより、ツェナーダイオードＺＤ1がオンしてＴＲ2がオンするが、ダイオードＤ2の電圧抑制効果によりＬＥＤ1は点灯しない。
【００５７】
出力ポートＵ1から出力される表示電圧Ｖcは、この出力ポートＵ1から１００ms毎の読取タイミングパルスＰ1,Ｐ3が出力されるとき出力されず、この読取タイミングパルスＰ1,Ｐ3が出力されているとき、読取タイミングパルスＰ1,Ｐ3の電圧がＶaであることによりＬＥＤ2は消灯することになるが、その消灯している時間は１msなので、人の目にはＬＥＤ2は連続点灯していると認識される。
【００５８】
スイッチＳ2をオンした場合、上記と同様にして、制御装置５０はスイッチＳ3がオンされたことを確定して電動送風機１１のパワーを自動設定して駆動させる。また、制御装置５０は、読取タイミングパルスＰ3の後に出力ポートＵ1から表示電圧Ｖbを出力し続け、この表示電圧Ｖbにより表示回路６０のツェナーダイオードＺＤ1がオンしてＴＲ2がオンし、このＴＲ2のオンにより表示器ＬＥＤ1は点灯する。このＬＥＤ1の点灯により、電動送風機１１のパワーが自動設定されていることが報知される。
【００５９】
ＬＥＤ2の点灯中、すなわち、電動送風機１１が「強」または「弱」で駆動されているとき、図１７に示す時点ｔ23でスイッチＳ1をオンすると、抵抗Ｒ1が抵抗Ｒ4に並列接続されるので、制御装置５０の入力ポートＵ2には読取タイミングパルスＰ1の出力により電流Ｉ1（図３参照）が流れる。制御装置５０は、この電流Ｉ1を読み取り、スイッチＳ1がオンされたと判断し、この読取タイミングパルスＰ1の後に、周期１０ms毎に読取タイミングパルスＰ2,Ｐ3を出力する。この読取タイミングパルスＰ2,Ｐ3によって制御装置５０の入力ポートＵ2に電流Ｉ1が流れると、制御装置５０は、スイッチＳ1がオンされたことを確定して電動送風機１１の駆動を停止させるとともに、出力ポートＵ1からの表示電圧Ｖcの出力を停止する（時点ｔ24）。表示電圧Ｖcの出力の停止によりＬＥＤ2は消灯する。
【００６０】
また、制御装置５０は、読取タイミングパルスＰ3の出力後に出力ポートＵ1から１００ms毎に読取タイミングパルスＰ1を出力していく。
【００６１】
この第５実施形態によれば、第１実施形態と同様に、パルス的なノイズの発生が非常に少ないものとなり、また、読み取りの確定を行うために、読取タイミングパルスＰ2,Ｐ3を１０ms毎に２つ出力させているだけなので、読み取りの確定を行う際のパルス的なノイズの発生も少なく、しかも、３つの読取タイミングパルスＰ1,Ｐ2,Ｐ3によって読み取りを確定するためその読み取りの信頼性が向上する。
［第６実施形態］
図１８および図１９は第６実施形態のタイムチャートを示す。この第６実施形態では、１００msの周期毎にパルス幅が１０msで電圧がＶaの読取タイミングパルスＰ5を出力ポートＵ1から出力させ、スイッチＳ1〜Ｓ3の操作を読み取ったときには（時点ｔ25）、パルス幅が３０msで電圧がＶaの読取タイミングパルスＰ6を出力させるようにしたものである。制御装置５０は、読取タイミングパルスＰ6を出力している間、入力ポートＵ2に流れる電流を１０ms毎に読み取っていく。すなわち、読取タイミングパルスＰ6が出力している間、入力ポートＵ2に流れる電流を３回読み取ることになる。
【００６２】
読取タイミングパルスＰ6により、例えばスイッチＳ3がオンされたことを確定した場合、制御装置５０は、電動送風機１１のパワーを「強」または「弱」に設定して駆動させるとともに、読取タイミングパルスＰ6の後に出力ポートＵ1から表示電圧Ｖcを出力していく（時点ｔ26）。この表示電圧Ｖcにより、第５実施形態と同様にＬＥＤ2が点灯していく。
【００６３】
出力ポートＵ1から出力される表示電圧Ｖcは、この出力ポートＵ1から１００ms毎の読取タイミングパルスＰ5が出力されるとき出力されず、この読取タイミングパルスＰ5が出力されているとき、読取タイミングパルスＰ5の電圧がＶaであることによりＬＥＤ2は消灯することになるが、その消灯している時間は１０msなので、人の目にはＬＥＤ2は連続点灯していると認識される。
【００６４】
スイッチＳ2をオンした場合、上記と同様にして、制御装置５０はスイッチＳ3がオンされたことを確定して電動送風機１１のパワーを自動設定して駆動させる。また、制御装置５０は、読取タイミングパルスＰ6の後に出力ポートＵ1から表示電圧Ｖbを出力し、この表示電圧Ｖbにより表示回路６０のツェナーダイオードＺＤ1がオンしてＴＲ2がオンし、このＴＲ2のオンにより表示器ＬＥＤ1は点灯する。このＬＥＤ1の点灯により、電動送風機１１のパワーが自動設定されていることが報知される。
【００６５】
ＬＥＤ2の点灯中、すなわち、電動送風機１１が「強」または「弱」で駆動されているとき、図１９に示す時点ｔ28でスイッチＳ1をオンすると、抵抗Ｒ1が抵抗Ｒ4に並列接続されるので、制御装置５０の入力ポートＵ2には読取タイミングパルスＰ5の出力により電流Ｉ1（図３参照）が流れる。制御装置５０は、この電流Ｉ1を読み取り、スイッチＳ1がオンされたと判断し、この読取タイミングパルスＰ1の後に、読取タイミングパルスＰ6を出力する（時点ｔ29）。この読取タイミングパルスＰ6によって制御装置５０の入力ポートＵ2に電流Ｉ1が流れると、制御装置５０は、スイッチＳ1がオンされたことを確定して電動送風機１１の駆動を停止させるとともに、出力ポートＵ1からの表示電圧Ｖcの出力を停止する（時点ｔ30）。表示電圧Ｖcの出力の停止によりＬＥＤ2は消灯する。
【００６６】
また、制御装置５０は、読取タイミングパルスＰ6の出力後に出力ポートＵ1から１００ms毎に読取タイミングパルスＰ5を出力していく。
【００６７】
この第６実施形態によれば、１つの読取タイミングパルスＰ6で３回の読み取りを行うので、パルス的なノイズの発生はさらに少ないものとなる。
［第７実施形態］
図２０および図２１は３つの読取タイミングパルスＰ7〜Ｐ9を１００ms毎に出力するようにしたものであり、読取タイミングパルスＰ8,Ｐ9は１０ms間隔で出力される。各パルスＰ7〜Ｐ9の幅は１msである。この第７実施形態では、１００ms毎に入力ポートＵ2に流れる電流を３回づつ読み取っていくものであり、その他の動作は第５実施形態と同様なのでその説明は省略する。
【００６８】
この第７実施形態によれば、３つの読取タイミングパルスＰ7〜Ｐ9を１００ms毎に出力するものであるから、スイッチＳ1〜Ｓ3の操作を読み取ったときに２つの読取タイミングパルスＰ2,Ｐ3を出力するものに比べて制御がし易いものとなる。
【００６９】
図２２および図２３は、３つの読取タイミングパルスＰ7〜Ｐ9の代わりにパルス幅が３０msの１つの読取タイミングパルスＰ10を１００ms毎に出力するようにしたものである。この場合も、読取タイミングパルスＰ10が出力されている間に入力ポートＵ2に流れる電流を１０ms毎に計３回読み取っていくものである。
【００７０】
この図２２および図２３に示すものは、１つの読取タイミングパルスＰ10を出力するだけであるから、図２０に示すものより制御がし易いものとなる。
［第８実施形態］
図２４は第８実施形態を示したものであり、この第８実施形態のものは、図１５に示す表示器ＬＥＤ1,ＬＥＤ2の代わりにブザーＢ1,Ｂ2を接続して、スイッチＳ2,Ｓ3を押す毎に音を発生させるようにしたものある。
【００７１】
この第８実施形態の制御装置５０は、図２５に示すようにスイッチＳ2が操作されたと判断したとき電圧がＶ2（＞Ｖ1）、パルス幅が９msのパルスＰ15を操作タイミングパルスＰ1の後に続けて出力し、これを５回繰り返す。スイッチＳ3が操作されたと判断したとき電圧がＶ3（＞Ｖ2）、パルス幅が９msのパルスＰ16を操作タイミングパルスＰ1の後に続けて出力し、これを５回繰り返すようにしたものである。パルスＰ15,Ｐ16は、周波数２ＫＨZの信号波からなり、この信号波によってブザーＢ1,Ｂ2を鳴らすものである。
【００７２】
この第８実施形態では、図２６に示すように、スイッチＳ2がオンされると（時点ｔ35）、制御装置３０は、第５実施形態と同様にしてこのスイッチＳ2がオンされたことを確定し（時点ｔ36）、出力ポートＵ1からパルスＰ15を操作タイミングパルスＰ1の後に続けて出力する。そして、これが５回繰り返される。このパルスＰ15によってブザーＢ1が鳴る。同様に、スイッチＳ3がオンされると（時点ｔ37）、制御装置５０は、第５実施形態と同様にしてこのスイッチＳ3がオンされたことを確定し（時点ｔ38）、出力ポートＵ1からパルスＰ16を操作タイミングパルスＰ1の後に続けて出力する。そして、これが５回繰り返される。このパルスＰ16によってブザーＢ2が鳴る。
【００７３】
ブザーＢ2は、パルスＰ15の電圧Ｖ2よりパルスＰ16の電圧Ｖ3の方が大きいことにより、ブザーＢ1より大きい音が発生する。この音の大きさが異なることにより、どのスイッチＳ2,Ｓ3がオンされたかが分かる。
【００７４】
この第８実施形態では、スイッチＳ1が押されたときには、ブザーＢ1,Ｂ2は鳴らないが、スイッチＳ1が押されたとき上記と同様にして出力ポートＵ1からパルスＰ15またはパルスＰ16を出力させて、ブザーＢ1,Ｂ2を鳴らすようにしても良い。
【００７５】
また、各パルスＰ15,Ｐ16は５回出力されるが、１回ないし１０回ほど出力するものであれば、間延びせずにスイッチＳ1〜Ｓ3を押したときのみ音が発生するように聞こえる。
【００７６】
【発明の効果】
以上説明したように、請求項１の発明によれば、パルス的なノイズの発生が非常に少ないものとなる。また、読み取りの確定を行うために、読取パルスを少なくとも１回出力させるだけなので、読み取りの確定を行う際のパルス的なノイズの発生も少ない。
【００７７】
また、手元操作手段の設定内容を読み取る読取パルスと、その設定内容を報知する報知電圧が同極性となっているものであるから、その読み取りと報知とを交互に行ってもノイズの発生は少ないものとなり、その極性を変えていないことにより、制御装置や手元操作手段の回路構成は至って簡単なものとなる。
【００７８】
請求項２の発明によれば、手元操作手段の設定状態を読み取った際の読取パルスから、所定周期よりも短い周期で出力される最後の第２の読取パルスまでを１つのパルスにしたものであるから、パルス的なノイズの発生はさらに少ないものとなる。
【００８１】
請求項３の発明によれば、報知手段は電流切換手段に並列に接続されているものであるから、報知手段をホースの着脱を報知するものに利用することができ、ホースの脱着を報知する別体のホース報知手段を不要にすることができる。
【００８７】
請求項４の発明によれば、報知手段は表示装置であるから、手元操作手段の設定状態を視覚的に知らせることができる。
【００８８】
請求項５の発明によれば、記報知手段は発音装置であるから、手元操作手段の設定状態を音で知らせることができる。
【図面の簡単な説明】
【図１】この発明に係る電機掃除機の外観を示した斜視図である。
【図２】図１に示す電機掃除機の制御系の構成を示した回路図である。
【図３】スイッチ回路に流れる電流を示したグラフである。
【図４】電機掃除機の動作を示したタイムチャートである。
【図５】電機掃除機の動作を示したタイムチャートである。
【図６】第２実施形態の電機掃除機の動作を示したタイムチャートである。
【図７】第２実施形態の電機掃除機の動作を示したタイムチャートである。
【図８】第３実施形態の電機掃除機の動作を示したタイムチャートである。
【図９】第３実施形態の電機掃除機の動作を示したタイムチャートである。
【図１０】第３実施形態の他の例の電機掃除機の動作を示したタイムチャートである。
【図１１】第３実施形態の他の例の電機掃除機の動作を示したタイムチャートである。
【図１２】第４実施形態の電機掃除機の制御系の構成を示した回路図である。
【図１３】第４実施形態の電機掃除機動作を示したタイムチャートである。
【図１４】第５実施形態の電機掃除機の外観を示した斜視図である。
【図１５】第５実施形態の電機掃除機の制御系の構成を示した回路図である。
【図１６】第５実施形態の電機掃除機動作を示したタイムチャートである。
【図１７】第５実施形態の電機掃除機動作を示したタイムチャートである。
【図１８】第６実施形態の電機掃除機動作を示したタイムチャートである。
【図１９】第６実施形態の電機掃除機動作を示したタイムチャートである。
【図２０】第７実施形態の電機掃除機動作を示したタイムチャートである。
【図２１】第７実施形態の電機掃除機動作を示したタイムチャートである。
【図２２】第７実施形態の他の例の電機掃除機動作を示したタイムチャートである。
【図２３】第７実施形態の他の例の電機掃除機動作を示したタイムチャートである。
【図２４】第８実施形態の電機掃除機の制御系の構成を示した回路図である。
【図２５】制御装置の出力ポートから出力されるパルスのタイミングを示した説明図。
【図２６】第８実施形態の他の例の電機掃除機動作を示したタイムチャートである。
【符号の説明】
１０          掃除機本体
１１          電動送風機
１６Ｂ        手元操作部
３０          制御装置
４０          スイッチ回路（電流切換手段）
Ｓ1〜Ｓ3      スイッチ
ＬＥＤ1       表示器（報知手段）
【図１】
0003865980.tif 000002
【図２】
0003865980.tif 000003
【図３】
0003865980.tif 000004
【図４】
0003865980.tif 000005
【図５】
0003865980.tif 000006
【図６】
0003865980.tif 000007
【図７】
0003865980.tif 000008
【図８】
0003865980.tif 000009
【図９】
0003865980.tif 000010
【図１０】
0003865980.tif 000011
【図１１】
0003865980.tif 000012
【図１２】
0003865980.tif 000013
【図１３】
0003865980.tif 000014
【図１４】
0003865980.tif 000015
【図１５】
0003865980.tif 000016
【図１６】
0003865980.tif 000017
【図１７】
0003865980.tif 000018
【図１８】
0003865980.tif 000019
【図１９】
0003865980.tif 000020
【図２０】
0003865980.tif 000021
【図２１】
0003865980.tif 000022
【図２２】
0003865980.tif 000023
【図２３】
0003865980.tif 000024
【図２４】
0003865980.tif 000025
【図２５】
0003865980.tif 000026
【図２６】
0003865980.tif 000027